【手続補正書】
【提出日】令和2年11月18日(2020.11.18)
【手続補正１】
【補正対象書類名】特許請求の範囲
【補正対象項目名】全文
【補正方法】変更
【補正の内容】
【特許請求の範囲】
【請求項１】
磁気共鳴撮像システムであって、
撮像ゾーンを持ち、該撮像ゾーン内に平均磁場強度を持つ主磁場を発生する主磁石と、
前記撮像ゾーン内に空間依存性勾配磁場を発生する勾配磁場システムと、
前記撮像ゾーン内の平均磁場強度を調整する磁石電源と、
当該磁気共鳴撮像システムの複数の電極の間にＲＦ電流を供給する電流源であって、前記複数の電極は第１部分及び第２部分を有し、該電流源は前記ＲＦ電流を前記第１部分と前記第２部分との間に供給し、前記複数の電極が被検者の外側表面との電気的接触を形成する電流源と、
マシン実行可能な命令及びパルスシーケンスコマンドを格納するメモリであって、前記パルスシーケンスコマンドは当該磁気共鳴撮像システムを前記撮像ゾーンから三次元撮像プロトコルに従って磁気共鳴データを取得するように制御するための命令を有し、該パルスシーケンスコマンドが前記勾配磁場システムを制御するための読取勾配磁場コマンドを有するメモリと、
当該磁気共鳴撮像システムを制御するプロセッサと、
を有し、
前記マシン実行可能な命令の実行が前記プロセッサに、
前記磁石電源を前記パルスシーケンスコマンドで制御することにより、前記撮像ゾーン内の前記平均磁場強度を、該撮像ゾーン内のスピンを事前分極化するように作用する第１の値に設定させ、
前記磁石電源を前記パルスシーケンスコマンドで制御することにより、前記撮像ゾーン内の前記平均磁場強度を、前記第１の値より小さな第２の値に設定させ、
前記電流源を、既知のＲＦ電流を前記電極の第１部分と前記電極の第２部分との間に流すように制御させ、
当該磁気共鳴撮像システムを前記読取勾配磁場コマンドにより制御することにより、前記被検者から前記磁気共鳴データを取得させ、
前記磁気共鳴データから三次元画像データを再構成させ、
前記三次元画像データ及び前記電極を通る前記既知のＲＦ電流を用いて前記被検者の抵抗モデルを計算させる、
磁気共鳴撮像システム。
【請求項２】
当該磁気共鳴撮像システムは前記被検者からＥＣＧ信号を受信し、前記マシン実行可能な命令の実行が、前記抵抗モデル、前記ＥＣＧ信号及び電気的ソースモデルを用いて前記被検者の心臓電位を計算させることを更に有する、請求項１に記載の磁気共鳴撮像システム。
【請求項３】
前記マシン実行可能な命令が、前記読取勾配磁場コマンドの実行を少なくとも部分的に前記ＥＣＧ信号により起動するための命令を含む、請求項２に記載の磁気共鳴撮像システム。
【請求項４】
前記電流源は前記複数の電極の各々に関してＲＦ電極電流を個別に測定するための電流センサを有し、前記既知のＲＦ電流が前記複数の電極の各々に関するＲＦ電極電流を用いて決定される、請求項１から３の何れか一項に記載の磁気共鳴撮像システム。
【請求項５】
前記マシン実行可能な命令は第１有限差分モデル及び第２有限差分モデルを用いて前記抵抗モデルを計算する命令を含み、前記第１有限差分モデルは、前記被検者を通る電流の流れを、前記複数の電極の各々に関する前記ＲＦ電極電流及び前記三次元画像データの振幅を用いて解くためのものであり、該第１有限差分モデルは、前記被検者を通る電流の流れを、第１目的関数を最適化するための第１最適化アルゴリズムを用いて計算するためのものであり、前記第１目的関数は前記電流の流れを前記三次元画像データの強度にビオサバールの法則を用いて適合させ、前記第２有限差分モデルは前記抵抗モデルを前記電流の流れに第２目的関数を用いて適合させ、該第２目的関数が前記抵抗モデルを前記電流の流れにオームの法則及び前記複数の電極の各々に関するＲＦ電極電流を用いて適合させる、請求項４に記載の磁気共鳴撮像システム。
【請求項６】
前記電流源は前記複数の電極を前記第１部分と前記第２部分との間で切り換え、前記マシン実行可能な命令は、更に、前記プロセッサに前記第１部分と前記第２部分との間に分布される前記複数の電極の複数の並び替えに関して前記三次元画像データを再構成させ、前記第１目的関数及び前記第２目的関数が前記複数の電極の複数の並び替えからのデータを組み合わせる、請求項５に記載の磁気共鳴撮像システム。
【請求項７】
前記マシン実行可能な命令の実行が、前記プロセッサに、更に、前記電流源を前記複数の電極を用いて電気インピーダンストモグラフィデータを取得するように制御させ、前記第２目的関数が更に前記抵抗モデルを前記電気インピーダンストモグラフィデータに適合させる、請求項５又は請求項６に記載の磁気共鳴撮像システム。
【請求項８】
当該磁気共鳴撮像システムは衣服を更に有し、該衣服が前記複数の電極を有する、請求項１から７の何れか一項に記載の磁気共鳴撮像システム。
【請求項９】
前記パルスシーケンスコマンドが、スピンエコーパルスシーケンスコマンド、勾配磁場エコーパルスシーケンスコマンド、ＺＴＥパルスシーケンスコマンド、ＥＰＩパルスシーケンスコマンド、ラジアルサンプルパルスシーケンスコマンド及びスパイラル読取勾配磁場シーケンスを有するパルスシーケンスコマンドのうちの何れか１つである、請求項１から８の何れか一項に記載の磁気共鳴撮像システム。
【請求項１０】
前記平均磁場強度の第２の値は、ラーモア周波数が２０ｋＨｚと２００ｋＨｚとの間になるように選択される、請求項１から９の何れか一項に記載の磁気共鳴撮像システム。
【請求項１１】
前記平均磁場強度の第２の値が５ｍテスラと０.２ｍテスラとの間であること、
前記マシン実行可能な命令の実行が前記プロセッサに前記撮像ゾーン内の前記平均磁場強度を、該撮像ゾーン内の該平均磁場強度を前記第２の値に設定する前に、少なくとも１０ｍｓ、少なくとも２０ｍｓ、少なくとも１００ｍｓ、少なくとも３００ｍｓ及び少なくとも５００ｍｓのうちの何れか１つにわたり前記第１の値に維持させること、及び
これらの組み合わせ
のうちの何れか１つが成り立つ、請求項１から１０の何れか一項に記載の磁気共鳴撮像システム。
【請求項１２】
前記マシン実行可能な命令の実行が、前記プロセッサに、
当該磁気共鳴撮像システムを前記読取勾配磁場コマンドで制御することにより前記被検者から前記磁気共鳴データを取得する前に、前記磁石電源を前記パルスシーケンスコマンドで制御することにより前記撮像ゾーン内の平均磁場強度を前記第１の値より小さく前記第２の値より大きい第３の値に設定する動作、及び
前記撮像ゾーン内の前記平均磁場強度が前記第３の値に設定されている間に当該磁気共鳴撮像システムを前記読取勾配磁場コマンドで制御することにより前記被検者から前記磁気共鳴データを取得する動作
の何れか１つを実行させる、請求項１から１１の何れか一項に記載の磁気共鳴撮像システム。
【請求項１３】
当該磁気共鳴撮像システムが呼吸信号を更に受信し、前記磁気共鳴データの取得が該呼吸信号により少なくとも部分的に起動されること、
前記複数の電極が磁気共鳴位置合わせマーカを有し、前記マシン実行可能な命令の実行が前記プロセッサに、更に、前記三次元画像データにおいて位置合わせマーカ信号を検出することにより前記複数の電極の各々の位置を該三次元画像データに位置合わせさせ、前記抵抗モデルが、更に、前記複数の電極の各々の位置を用いて計算されること、及び
これらの組み合わせ
のうちの何れか１つが成り立つ、請求項１から１２の何れか一項に記載の磁気共鳴撮像システム。
【請求項１４】
磁気共鳴撮像システムを制御するプロセッサにより実行するためのマシン実行可能な命令を有するコンピュータプログラムであって、前記磁気共鳴撮像システムは撮像ゾーンを持つ主磁石を有し、該主磁石は前記撮像ゾーン内に平均磁場強度を持つ主磁場を発生し、前記磁気共鳴撮像システムは前記撮像ゾーン内に空間依存性勾配磁場を発生するための勾配磁場システムを更に有し、前記磁気共鳴撮像システムは前記撮像ゾーン内の平均磁場強度を調整するための磁石電源を更に有し、前記磁気共鳴撮像システムは複数の電極の間にＲＦ電流を供給するための電流源を更に有し、前記複数の電極は第１部分及び第２部分を有し、前記電流源は前記ＲＦ電流を前記第１部分と前記第２部分との間に供給し、前記複数の電極は被検者の外側表面との電気的接触を形成し、前記マシン実行可能な命令の実行が、前記プロセッサに、
前記磁石電源をパルスシーケンスコマンドで制御することにより、前記撮像ゾーン内の前記平均磁場強度を該撮像ゾーン内のスピンを事前分極化するように作用する第１の値に設定させ、ここで、前記パルスシーケンスコマンドは前記磁気共鳴撮像システムを前記撮像ゾーンから三次元撮像プロトコルに従って磁気共鳴データを取得するように制御するための命令を有し、該パルスシーケンスコマンドは前記勾配磁場システムを制御するための読取勾配磁場コマンドを有し、
前記磁石電源を前記パルスシーケンスコマンドで制御することにより、前記撮像ゾーン内の前記平均磁場強度を前記第１の値より小さな第２の値に設定させ、
前記電流源を、既知のＲＦ電流を前記電極の第１部分と前記電極の第２部分との間に流すように制御させ、
前記磁気共鳴撮像システムを前記読取勾配磁場コマンドにより制御することにより、前記被検者から前記磁気共鳴データを取得させ、
前記磁気共鳴データから三次元画像データを再構成させ、
前記三次元画像データ及び前記電極を通る前記既知のＲＦ電流を用いて前記被検者の抵抗モデルを計算させる、
コンピュータプログラム。
【請求項１５】
磁気共鳴撮像システムを動作させる方法であって、前記磁気共鳴撮像システムは撮像ゾーンを持つ主磁石を有し、該主磁石は前記撮像ゾーン内に平均磁場強度を持つ主磁場を発生し、前記磁気共鳴撮像システムは前記撮像ゾーン内に空間依存性勾配磁場を発生するための勾配磁場システムを更に有し、前記磁気共鳴撮像システムは前記撮像ゾーン内の平均磁場強度を調整するための磁石電源を更に有し、前記磁気共鳴撮像システムは複数の電極の間にＲＦ電流を供給するための電流源を更に有し、前記複数の電極は第１部分及び第２部分を有し、前記電流源は前記ＲＦ電流を前記第１部分と前記第２部分との間に供給し、前記複数の電極は被検者の外側表面との電気的接触を形成し、当該方法が、
前記磁石電源をパルスシーケンスコマンドで制御することにより、前記撮像ゾーン内の前記平均磁場強度を該撮像ゾーン内のスピンを事前分極化するように作用する第１の値に設定するステップであって、前記パルスシーケンスコマンドは前記磁気共鳴撮像システムを前記撮像ゾーンから三次元撮像プロトコルに従って磁気共鳴データを取得するように制御するための命令を有し、該パルスシーケンスコマンドが前記勾配磁場システムを制御するための読取勾配磁場コマンドを有するステップと、
前記磁石電源を前記パルスシーケンスコマンドで制御することにより、前記撮像ゾーン内の前記平均磁場強度を前記第１の値より小さな第２の値に設定するステップと、
前記電流源を、既知のＲＦ電流を前記電極の第１部分と前記電極の第２部分との間に流すように制御するステップと、
前記磁気共鳴撮像システムを前記読取勾配磁場コマンドにより制御することにより、前記被検者から前記磁気共鳴データを取得するステップと、
前記磁気共鳴データから三次元画像データを再構成するステップと、
前記三次元画像データ及び前記電極を通る前記既知のＲＦ電流を用いて前記被検者の抵抗モデルを計算するステップと、
を有する、方法。